(57)【特許請求の範囲】
【請求項１】
上枠及び下枠と複数本の縦枠を備えた壁パネルであって、
前記複数本の縦枠のうち最も外側の縦枠の上端にマグサ受となる切欠が設けられ、前記切欠が設けられた縦枠の上部に露出状態のアイボルトの脚部下端が取付けられ、前記上枠から横方向へ延設された補強プレートが前記上枠に固定されていると共に、前記アイボルトの首部が前記補強プレートで拘束されていることを特徴とする壁パネル。
【請求項２】
請求項１に記載の壁パネルを有することを特徴とする建物ユニット。
【請求項３】
請求項１記載の壁パネルが一側に間隙を有して一対設けられ、前記一対の壁パネル間に開口部を形成するためのマグサを固定するための前記切欠が前記一対の壁パネルの対向部の縦枠の上端にそれぞれ形成されていることを特徴とする壁パネル構造。
【請求項４】
請求項２に記載の建物ユニットが隣接して設けられ、前記隣接する建物ユニットの一側に前記壁パネルが一対間隙を有してそれぞれ設けられ、前記一対の壁パネル間に開口部を形成するためのマグサを固定するための前記切欠が前記一対の壁パネルの対向部の縦枠の上端にそれぞれ形成されていることを特徴とするユニット建物の構築構造。
【発明の詳細な説明】
【０００１】
【発明の属する技術分野】
この発明は、ユニット工法で用いられる吊構造を備えた壁パネル、建物ユニット、壁パネル構造及びユニット建物の構築構造に関するものである。
【０００２】
【従来の技術】
工場で予め製造された建物ユニットを現地で積み重ねて建物（ユニット建物）を構築するユニット工法が知られている。
【０００３】
このようなユニット工法の場合、現地での施工に際し、建物ユニットを吊上げる必要がある。
【０００４】
一般的な建物ユニットの場合、建物ユニットの妻壁パネルの左右両端に箱金物を埋込み、この箱金物にアイボルトを取付けて吊上げるようにしている。
【０００５】
【発明が解決しようとする課題】
しかしながら、このような従来の建物ユニットの吊手段では、妻壁パネルにマグサなどを取付ける予定がある場合、最も外側の縦枠の上端を切欠く必要があるため、箱金物の位置が低くなるので、吊上時にアイボルトが倒れ込んで上枠を損傷するおそれがある。
【０００６】
また、一方の妻壁パネルがない建物ユニットを吊上げる場合、床パネルの対応する位置に頭部を突出させてアイボルトを取付け、床パネル部分を吊るようにしているが、このようにすると、吊上時にアイボルトが倒れ込んで床パネルを損傷するおそれがある。
【０００７】
そこで、本発明の目的は、上記の問題点を解消し、吊上時にアイボルトによる損傷を防止することのできる吊構造を備えた壁パネル、建物ユニット、壁パネル構造及びユニット建物の構築構造を提供することにある。
【０００８】
【課題を解決するための手段】
上記課題を解決するために、請求項１に記載された発明では、上枠及び下枠と複数本の縦枠を備えた壁パネルであって、前記複数本の縦枠のうち最も外側の縦枠の上端にマグサ受となる切欠が設けられ、前記切欠が設けられた縦枠の上部に露出状態のアイボルトの脚部下端が取付けられ、前記上枠から横方向へ延設された補強プレートが前記上枠に固定されていると共に、前記アイボルトの首部が前記補強プレートで拘束されている壁パネルとしたことを特徴とする。
【０００９】
このように構成された請求項１にかかる発明によれば、前記補強プレートでアイボルトの首部を拘束しつつ吊上げることにより、吊上時にアイボルトによって壁パネルが損傷するのを防止することができる。
【００１０】
また、請求項２の発明は、請求項１に記載の壁パネルを有する建物ユニットとしたことを特徴とする。
【００１１】
このように構成された請求項２にかかる発明によれば、吊上時にアイボルトによって建物ユニットが損傷するのを防止することができる。
【００１２】
更に、請求項３の発明は、請求項１記載の壁パネルが一側に間隙を有して一対設けられ、前記一対の壁パネル間に開口部を形成するためのマグサを固定するための前記切欠が前記一対の壁パネルの対向部の縦枠の上端にそれぞれ形成されている壁パネル構造としたことを特徴とする。
【００１３】
このように構成された請求項３にかかる発明によれば、前記補強プレートでアイボルトの首部を拘束しつつ吊上げることにより、吊上時にアイボルトによって壁パネルが損傷するのを防止することができる。
【００１４】
更に、請求項４の発明は、請求項２に記載の建物ユニットが隣接して設けられ、前記隣接する建物ユニットの一側に前記壁パネルが一対間隙を有してそれぞれ設けられ、前記一対の壁パネル間に開口部を形成するためのマグサを固定するための前記切欠が前記一対の壁パネルの対向部の縦枠の上端にそれぞれ形成されているユニット建物の構築構造としたことを特徴とする。
【００１５】
このように構成された請求項４にかかる発明によれば、吊上時にアイボルトによって建物ユニットが損傷するのを防止することができる。
【００１６】
【発明の実施の形態１】
以下、本発明の具体的な実施の形態１について、図示例と共に説明する。
【００１７】
図１〜図６は、この発明の実施の形態１を示すものである。
【００１８】
図中、符号１，２はそれぞれユニット建物を構築した場合に隣接配置される２つの建物ユニットを示しており、各建物ユニット１，２は共に床パネル３（建築用パネル）に少なくとも一対の妻壁などの壁パネル４，５（建築用パネル）を取付けた構造を有している。壁パネル４は、上枠６と下枠７と複数本の縦枠８とからなる枠体に面材を貼着した構成を備えている。
【００１９】
図１の場合、隣接する２つの建物ユニット１，２の一側の壁パネル４，４間には、所要の間隙１１が設けられ、壁パネル４，４の対向する上端にはマグサ受１２となる切欠１３が設けられ、この切欠１３間にマグサ１４となる短尺梁を係止して釘１５などで固定することにより、開口部１６が形成されるようになっている。
【００２０】
ユニット建物を構築する際に、この建物ユニット１，２を吊具２１で吊るために、各壁パネル４，５の左右両端には箱金物２２が埋込まれ、この箱金物２２にアイボルト２３が取付けられる。なお、箱金物２２は、曲げボルトなどのボルト部材２４で壁パネル４，５に固定されている。
【００２１】
具体的には、最も外側の縦枠８ａとこれに隣接する縦枠８ｂとが近接配置され、この縦枠８ａ，８ｂ間に箱金物２２が介装固定される。そして、この箱金物２２に取付けたナット部材２５にアイボルト２３の脚部が螺着される。
【００２２】
この実施の形態１では、壁パネル４のマグサ受１２部分のアイボルト２３の首部を補強プレート２６で拘束する。
【００２３】
即ち、壁パネル４，４のマグサ受１２は、最も外側の縦枠８ａの上端を切欠いて（切欠１３）構成されており、その分、図３〜図５に示すように、箱金物２２の位置が低くなってアイボルト２３の脚部下端しか螺着されなくなるため、アイボルト２３は縦枠８に沿って露出状態で取付けられることとなるので、補強プレート２６を上枠６に木ネジなどのネジ部材２７で固定して横方向へ延設し、アイボルト２３の首部を拘束させるようにする。補強プレート２６は、図６に示すように、側面視上向コ字状を呈しており、底辺部にはネジ部材２７を通すための複数のネジ孔２８とアイボルト２３の首部を貫通支持するための拘束用孔部２９とが形成されている。
【００２４】
次に、この実施の形態１の作用について説明する。
【００２５】
ユニット建物１，２を構築する際に、この建物ユニット１，２の各壁パネル４，５の左右両端に取付けたアイボルト２３に吊具２１を掛けて吊るようにする。
【００２６】
具体的には、アイボルト２３は、最も外側の縦枠８ａとこれに隣接する縦枠８ｂとの間に介装固定された箱金物２２に螺着する。
【００２７】
そして、壁パネル４，４のマグサ受１２が設けられた部分では、最も外側の縦枠８ａの上端が切欠かれており（切欠１３）その分、図３〜図５に示すように、箱金物２２の位置が低くなってアイボルト２３の脚部下端しか螺着されなくなって、アイボルト２３は縦枠８に沿って露出状態で取付けられることとなるので、補強プレート２６を上枠６に木ネジなどのネジ部材２７で固定して横方向へ延設し、アイボルト２３の首部を拘束させるようにする。
【００２８】
このように、補強プレート２６でアイボルト２３の首部を拘束しつつ吊上げることにより、吊上時にアイボルト２３が倒れ込んで壁パネル４などの建築用パネルを損傷することを防止でき、建物ユニット１，２を支障なく吊上げることが可能となる。
【００２９】
【発明の効果】
以上説明してきたように、請求項１，３の発明によれば、補強プレートでアイボルトの首部を拘束しつつ吊上げることにより、吊上時にアイボルトによって壁パネルが損傷するのを防止することができる。
【００３０】
請求項２，４の発明によれば、吊上時にアイボルトによって建物ユニットが損傷するのを防止することができる、という実用上有益な効果を発揮し得る。
【図面の簡単な説明】
【図１】本発明の実施の形態１の斜視図である。
【図２】図１のＡ部分拡大図である。
【図３】壁パネルの正面図である。
【図４】図３の部分拡大図である。
【図５】図４の側面図であるる。
【図６】図３の補強部材の斜視図である。
【符号の説明】
１    建物ユニット
２    建物ユニット
３    床パネル
４    壁パネル
５    壁パネル
６    上枠
７    下枠
８    縦枠
８ａ  縦枠
１３  切欠
２３  アイボルト
２６  補強プレート
【図１】
0003759863.tif 000002
【図２】
0003759863.tif 000003
【図３】
0003759863.tif 000004
【図４】
0003759863.tif 000005
【図５】
0003759863.tif 000006
【図６】
0003759863.tif 000007